(57)【特許請求の範囲】
【請求項１】
モータが収容されたモータ室と、前記モータの出力軸に固定されたインペラが収容され、タンク内の洗浄液を吸入するための吸入孔が設けられたポンプ室とをハウジングの内部に備え、前記ポンプ室から吐出される洗浄液が吐出口から外部に排出されるウォッシャポンプにおいて、
前記モータは対向する一対の平坦部を有する断面扁平形状のヨークを備え、
前記モータには、該モータの内部に水が溜まらないようにモータの内部を前記モータ室に連通する内側連通部を設け、前記ハウジングには、前記モータ室に水が溜まらないように該モータ室を該ハウジングの外部に連通する外側連通部を設け、
前記外側連通部は前記モータ室から異なる方向に延びる少なくとも２つ以上の流路からなる経路を経て前記ハウジングの外部に開口するとともに、前記外側連通部の少なくとも一部が前記ヨークの最大外径の範囲内に含まれるように該外側連通部は前記ヨークの両平坦部の一方と相対する位置に形成されているウォッシャポンプ。
【請求項２】
前記モータのヨーク内には界磁磁石が収容され、
前記モータには、前記ヨークの両平坦部の一方の内側面と電機子との間に、該電機子と前記界磁磁石との間の隙間よりも大きなクリアランスが設けられ、前記内側連通部は、モータのケースに、前記ヨークの両平坦部の一方の内側面上に沿って設けられた連通孔である請求項１に記載のウォッシャポンプ。
【請求項３】
前記ハウジングと前記出力軸との間に設けられたシール部から前記外側連通部に連通される通路が設けられている請求項１又は請求項２に記載のウォッシャポンプ。
【請求項４】
前記吐出口が前記モータ室側に設けられるとともに、前記ポンプ室と前記吐出口とを連通する吐出流路が前記ハウジングの内部に前記出力軸の中心軸方向に延びるように設けられ、該吐出流路の少なくとも一部が前記ヨークの最大外径の範囲内に含まれるように該吐出流路は前記ヨークの両平坦部の一方と相対する位置に設けられている請求項１〜請求項３のいずれか一項に記載のウォッシャポンプ。
【請求項５】
請求項１〜請求項４のいずれか一項に記載のウォッシャポンプと、該ウォッシャポンプが装着された洗浄水タンクとを備えた車両用ウォッシャ装置。
【発明の詳細な説明】
【０００１】
【発明の属する技術分野】
本発明は、ウォッシャポンプと、同ウォッシャポンプを備えた車両用ウォッシャ装置に関するものである。
【０００２】
【従来の技術】
車両用ウォッシャ装置は、車両に装備されウィンドシールドに洗浄液を吹き付けるための装置であって、洗浄液を貯蔵するためのタンクと、タンクに装備され洗浄液をウォッシャノズルに圧送するためのウォッシャポンプとを備えている。ウォッシャポンプは、ハウジングの内部にモータ室とポンプ室とが設けられ、モータ室には動力源である直流モータが、ポンプ室にはインペラが収容されている。そして、モータの出力軸は、モータ室からシール部によって密閉された状態でポンプ室に延長され、その端部にインペラが固定されている。
【０００３】
ところで、モータが作動又は停止するとモータの温度が上昇又は低下することから、モータ室内の空気が膨張及び収縮する。ここで、モータ室内の空気が収縮するときに、出力軸とシール部との間を通ってポンプ室からモータ室に洗浄液が吸い込まれる問題があった。モータ室に洗浄液が持ち込まれると、モータの金属部に錆が発生し、モータが正常に動作しなくなる可能性がある。
【０００４】
そこで、このような問題を解消するため、例えば、実開平２−４９６５７号公報において、ウォッシャポンプの通気孔構造が提案されている。図５に示すように、このウォッシャポンプ６０はほぼ円筒状に形成され、モータ６１の出力軸６２が鉛直に立った状態でタンク６３に装着されるものである。即ち、ウォッシャポンプ６０は、ハウジング６４の内部に設けられたポンプ室６５が下側に配置され、モータ室６６が上側に配置された状態でタンク６３に装備される。そして、ポンプ室６５を形成するポンプケーシング６７の下面に、洗浄水をポンプ室６５に導入するための吸入孔６８が開口し、ポンプケーシング６７の側面に、洗浄水を外部に吐出するための吐出口６９が設けられている。このような構造のウォッシャポンプ６０において、上側のモータ室６６を形成するモータハウジング７０と、ポンプケーシング６７との間、即ち、モータ６１より下方に、モータ室６６をハウジング６４の外部に連通する通気通路７１が設けられている。
【０００５】
この通気通路７１によりモータ室６６の内部が外気に連通されるため、モータ室６６内に空気が密封されない。従って、モータ６１の作動及び停止に伴ってモータ室６６内の空気の温度が変化しても、モータ室６６内の圧力が変化することはなく、ポンプ室６５から洗浄液がモータ室６６に吸い込まれることはない。又、ハウジング６４と出力軸６２との間のシール部７２の不具合等により、万が一ポンプ室６５からモータ室６４に洗浄水が浸入しても、通気通路７１がモータ６１よりも下方に設けられていることから、モータ室６６に浸入した洗浄水が通気通路７１から外部に排出され、モータ６１が冠水しないようになっている。さらに、通気通路７１は、車両が水溜りを走行したときに想定されるように、ウォッシャポンプ６０が外部から強い勢いで被水した場合に、逆に外部から通気通路７１を通ってモータ室６６内に水が入らないように、通路が屈曲した状態に形成されている。
【０００６】
ところが、上記のような縦型のウォッシャポンプ６０は、殆どの部分がタンク６３の外部に配置される構造であることから、タンク６３への取付固定が容易でない。例えば、タンク６３に設けた埋め込み用凹部内にウォッシャポンプ６０を収容した状態で、凹部の両側に設けた一対の抜け止め用突部でウォッシャポンプ６０が凹部内に係止されるようにした構造がある。しかしながら、このような構造を採用するために、タンク６３の形状の自由度が制約され、車両の制約された内部空間への設置が容易でない問題がある。
【０００７】
そこで、このような問題を解消するため、本出願人は、特開平４−１２９８６３号公報において、ハウジングのポンプ室側をタンク内に配置された状態でタンクに装備するウォッシャポンプを提案している。即ち、上記ウォッシャポンプと異なり、吐出口がモータ室側に設けられ、ハウジングの内部に設けられた流路によってポンプ室から圧送される洗浄水が吐出口から外部に吐出される。このウォッシャポンプは、タンクの側面又は底面に設けた開口部からタンク内にハウジングの大部分が挿入された状態で取付固定されるため、上記のウォッシャポンプのようにタンクの形状の自由度を制限することがない。
【０００８】
【発明が解決しようとする課題】
ところが、このウォッシャポンプでは、ポンプ室がモータ室と同じ高さであるか、又は、ポンプ室がモータ室の上方に位置するようになることから、モータ室が密閉されたりシール部に不具合があると、ポンプ室から軸受を通ってモータの内部にまで洗浄水が浸入する可能性がある。モータの内部に洗浄水が浸入すると、例えば、アーマチャのコアが錆びて界磁磁石との間のクリアランスが埋まりモータが正常に動作しなくなる等の問題が発生することが考えられる。このように、ポンプ室とモータ室とが同じ高さであるか、又は、ポンプ室がモータ室の上方に位置するように装備されるウォッシャポンプでは、上記のウォッシャポンプ６０のように、モータ室６６を外部に連通する通気通路７１を設けただけでは、モータ６１の内部の被水を防ぐことができない。
【０００９】
又、別の問題として、モータの温度変化、タンクへの洗浄水の補給等の原因により、モータの内部で結露が発生することがある。この結露によって生じた水によっても、モータ内部に錆び等の問題が発生する可能性がある。この問題は、前記ウォッシャポンプ６０においても起きる問題である。
【００１０】
本発明は、上記課題を解決するためになされたものであって、その目的は、モータの内部に水による支障が生じ難いようにすることができるウォッシャポンプ及び車両用ウォッシャ装置を提供することにある。
【００１１】
【課題を解決するための手段】
上記問題点を解決するため、請求項１に記載の発明は、モータが収容されたモータ室と、前記モータの出力軸に固定されたインペラが収容され、タンク内の洗浄液を吸入するための吸入孔が設けられたポンプ室とをハウジングの内部に備え、前記ポンプ室から吐出される洗浄液が吐出口から外部に排出されるウォッシャポンプにおいて、前記モータは対向する一対の平坦部を有する断面扁平形状のヨークを備え、前記モータには、該モータの内部に水が溜まらないようにモータの内部を前記モータ室に連通する内側連通部を設け、前記ハウジングには、前記モータ室に水が溜まらないように該モータ室を該ハウジングの外部に連通する外側連通部を設け、前記外側連通部は前記モータ室から異なる方向に延びる少なくとも２つ以上の流路からなる経路を経て前記ハウジングの外部に開口するとともに、前記外側連通部の少なくとも一部が前記ヨークの最大外径の範囲内に含まれるように該外側連通部は前記ヨークの両平坦部の一方と相対する位置に形成されている。
【００１３】
請求項２に記載の発明は、請求項１に記載の発明において、前記モータのヨーク内には界磁磁石が収容され、前記モータには、前記ヨークの両平坦部の一方の内側面と電機子との間に、該電機子と前記界磁磁石との間の隙間よりも大きなクリアランスが設けられ、前記内側連通部は、モータのケースに、前記ヨークの両平坦部の一方の内側面上に沿って設けられた連通孔である。
【００１４】
請求項３に記載の発明は、請求項１又は請求項２に記載の発明において、前記ハウジングと前記出力軸との間に設けられたシール部から前記外側連通部に連通される通路が設けられている。
【００１５】
請求項４に記載の発明は、請求項１〜請求項３のいずれか一項に記載の発明において、前記吐出口が前記モータ室側に設けられるとともに、前記ポンプ室と前記吐出口とを連通する吐出流路が前記ハウジングの内部に前記出力軸の中心軸方向に延びるように設けられ、該吐出流路の少なくとも一部が前記ヨークの最大外径の範囲内に含まれるように該吐出流路は前記ヨークの両平坦部の一方と相対する位置に設けられている。
【００１６】
請求項５に記載の発明は、請求項１〜請求項４のいずれか一項に記載のウォッシャポンプと、該ウォッシャポンプが装着された洗浄水タンクとを備えた車両用ウォッシャ装置である。
【００１７】
（作用）
請求項１に記載の発明によれば、ポンプ室からモータ内に浸入した洗浄水や、結露によりモータ内に生じた水は、モータ内から内側連通部を通ってモータ室に排出され、さらに、モータ室から外側連通部を通ってハウジングの外部に排出される。従って、モータ内に水が溜まり難い。
【００１８】
また、外部からウォッシャポンプに水がかかっても、外側連通部がモータ室から少なくとも異なる２方向に延びる流路を有する経路を経て外部に開口するため、モータ室内に水が浸入しない。そして、この外側連通部が、断面扁平形状のヨークの両平坦部の一方に相対し、少なくともその一部がヨークの最大外径の範囲内に配置されるので、ハウジングの外径がヨークの最大外径と外側連通部とを合わせた大きさよりも小さくなる。従って、外側連通部が２方向以上の異なる方向に延びる流路を有する経路を経て外部に開口する構造であることによるポンプの外径の増大が抑制される。
【００１９】
請求項２に記載の発明によれば、請求項１に記載の発明の作用に加えて、モータの内部に浸入した水、あるいは、結露水は、モータの下側に配置されたヨークの一方の平坦部と電機子との間のクリアランスに集められ、連通孔を通ってモータの内部からモータ室に排出される。従って、界磁磁石と電機子との間に水が滞留し難く、電機子が長時間水に晒され難い。
【００２０】
請求項３に記載の発明によれば、請求項１又は請求項２に記載の発明の作用に加えて、モータ室がハウジングの外部に対して密封されないので、モータの温度変化に伴うモータ室内の圧力変化がない。従って、ポンプ室から洗浄水がモータ室に持ち込まれない。又、シール部の不具合等によりポンプ室からシール部を通ってモータ室に浸入した洗浄水は、通路によってハウジングの外部に排出される。従って、モータ室内に洗浄水が溜まり難く、モータの外側が水に晒され難く、又、モータ室からモータ内に洗浄水が浸入し難い。
【００２１】
請求項４に記載の発明によれば、請求項１〜請求項３のいずれか一項に記載の発明の作用に加えて、ハウジングの外径が、ヨークの最大外径と吐出流路とを合わせたよりも小さくなる。従って、ポンプ室からモータ室側に延びる吐出流路を設けたことによるハウジングの外径の増大が抑制される。
【００２２】
請求項５に記載の発明によれば、ウォッシャポンプが請求項１〜請求項４のいずれか一項に記載の作用を備える。
【００２３】
【発明の実施の形態】
以下、本発明を具体化した一実施の形態を図１〜図４に従って説明する。
図２は、車両用ウォッシャ装置１０を示している。車両用ウォッシャ装置１０は、洗浄水を貯蔵するためのタンク１１と、タンク１１に装着され、貯蔵されている洗浄水を図示しないウォッシャノズルに圧送するウォッシャポンプ１２とからなる。
【００２４】
タンク１１は全体がほぼ直方体形状に形成され、その上面に補水孔１３が設けられている。タンク１１の下部には、内側に後退した垂直側壁１１ａが設けられ、この垂直側壁１１ａにはウォッシャポンプ１２を取付固定するための開口部１４が設けられている。
【００２５】
ウォッシャポンプ１２は、グロメット１５を介在した状態で開口部１４から一部がタンク１１内に配置された状態でタンク１１に装着されている。
図１は、ウォッシャポンプ１２の中心軸における断面図であって、タンク１１に装着されるときの姿勢のままである。又、図３は図１におけるＡ−Ａ線断面図であり、図４は同じくＢ−Ｂ線断面図である。
【００２６】
図１に示すように、ウォッシャポンプ１２は、ハウジング１６内にモータ１７及びポンプ１８を備えている。ハウジング１６は、円筒状の胴部１９、ポンプケーシング２０及び蓋体２１とからなる。
【００２７】
図１，３に示すように、胴部１９には、ポンプ１８側が閉塞しその反対側が開口する円筒状の穴部２２が設けられている。穴部２２内にはモータ１７が収容され、その出力軸２３が穴部２２の底を形成する隔壁を挿通してポンプ１８側に延出されている。穴部２２の開口部を蓋体２１が覆うことで胴部１９の内部にモータ室２４が形成されている。
【００２８】
図１に示すように、ポンプケーシング２０は、胴部１９の左端面に固定されている。そして、胴部１９の左端面とポンプケーシング２０とにより、ポンプ室２５が形成されている。ポンプケーシング２０の中心部には、タンク１１内の洗浄水をポンプ室２５内に導入するための吸入孔２０ａが設けられている。ポンプ室２５内にはモータ１７の出力軸２３が胴部１９から突出し、その先端にはインペラ２７が固定されている。出力軸２３と隔壁との間には、ポンプ室２５とモータ室２４とを密封状態で隔絶するシール部２６が設けられている。
【００２９】
モータ１７は直流モータであって、出力軸２３が延出される側の端部が閉塞され、その反対側の端部が開口された断面扁平形状の筒状に形成されたヨークとしての胴部２８と、その開口部を覆う蓋体２９とにより形成される独立したケース３０を備えている。胴部２８は、図４に示すように、対向する一対の平坦部２８ａと、対向する左右円弧部２８ｂとを備えた断面扁平形状に形成されている。胴部２８内には、左右円弧部２８ｂの内側面に密着した状態で、２極の界磁磁石３１が対向するように収容されている。両界磁磁石３１は、同部２８によって磁気的に接続されている。ケース３０内には、図１に示すように、ポンプ１８側に両界磁磁石３１及び電機子（鉄心及び巻線部）３２が設けられ、又、蓋体２９側に整流子３３が設けられている。尚、モータ１７の先端側には、出力軸２３をケース３０に支持する軸受３４を保持する軸受保持部３５が突出した状態で設けられている。
【００３０】
蓋体２１には、外側に電源供給用のコネクタ３６ａが設けられ、内側にコネクタ３６ａの各端子が延出された接続端子３６ｂが設けられている。そして、蓋体２１が胴部１９に固定された状態で各接続端子３６ｂの先端がモータ１７の蓋体２９に設けられた接続口３７に挿入されている。この接続口３７には、ケース３０の内部に設けられた図示しないブラシが電気的に接続された図示しない雌側端子が設けられている。
【００３１】
又、図１，３に示すように、ハウジング１６には、モータ室２４の側にポンプ室２５から吐出される洗浄水を外部に吐出するための吐出口３８が設けられている。さらに、ハウジング１６の内部には、ポンプ室２５を吐出口３８に連通する吐出流路３９が、出力軸２３の中心軸方向に延びるように設けられている。吐出流路３９は、その一部が胴部２８の最大外径の範囲内に配置されるように、モータ１７の胴部２８の下側平坦部２８ａに相対する位置に設けられている。
【００３２】
図１に示すように、モータ室２４を形成する穴部２２は、ポンプ１８側を形成しモータ１７が嵌合する嵌合部４０と、蓋体２１側を形成する大径部４１とを備えている。
【００３３】
穴部２２の底面には、環状の嵌合部４２が設けられている。嵌合部４２にはモータ１７の軸受保持部３５が嵌合され、嵌合部４２の外周側には、穴部２２の底面とモータ１７の先端面とにより環状の空間部４３が形成されている。
【００３４】
図３，４に示すように、嵌合部４０は、下側の平坦面と、左右で対向する円弧面とを備えている。左右円弧面には、同中心軸方向に延びる複数の凸条４４が等間隔で設けられている。モータ１７は、左右円弧部２８ｂに当接する各突条４４によって胴部２８が挟持されることにより嵌合部４０に嵌合している。又、胴部２８の下側平坦部２８ａは、嵌合部４０の下側平坦面に当接している。そして、胴部２８の左右円弧部２８ｂと、最下部の左右両突条４４と、嵌合部４０の下側平坦部とにより、モータ１７の中心軸方向に延び、空間部４３を大径部４１側に連通する溝５１が形成されている。尚、蓋体２１は、大径部４１の端部に嵌合されている。
【００３５】
図４に示すように、モータ１７には、胴部２８の下側平坦部２８ａの内側面と電機子３２との間に、電機子３２と各界磁磁石３１との間の隙間よりも大きなクリアランス４５が設けられている。このクリアランス４５は、モータ１７の外部からケース３０内に浸入した水、あるいは、結露によりケース３０内に発生した水が、電機子３２と各界磁磁石３１との間に滞留しない大きさに形成されている。又、図１，３に示すように、蓋体２９の下側両端には、モータ１７のケース３０内に水が溜まらないようにケース３０の内部をモータ室２４に連通する内側連通部としての連通孔４６がそれぞれ設けられている。連通孔４６は、下側平坦部２８ａの内側面を含む高さに開口するように設けられている。
【００３６】
図１，３に示すように、ハウジング１６内には、大径部４１側の下方に、ポンプ室２５から浸入した洗浄水、あるいは、モータ１７から排出された水等がモータ室２４の内部に溜まらないようにモータ室２４をハウジング１６の外部に連通する外側連通部４７が設けられている。外側連通部４７は、胴部１９と蓋体２１によって形成された連通室４８を備えている。連通室４８は、ハウジング１６の中心軸方向に延びるように形成されている。
【００３７】
連通室４８の蓋体２１側の端部には、ほぼ中心軸に直交する水平方向に水を案内するように、モータ室２４を連通室４８内に連通する連通孔４９が左右一対で設けられている。又、連通室４８のポンプ１８側の端部には、上下方向に延び、連通室４８をハウジング１６の外部に連通する連通孔５０が設けられている。従って、外側連通部４７は、モータ室２４から異なる方向に延びる３つの流路からなる経路を経てハウジング１６の外部に開口するように形成されている。さらに、外側連通部４７は、胴部２８の最大外径の範囲内に配置されるように、モータ１７の胴部２８の下側平坦部２８ａに相対する位置に設けられている。本実施の形態では、連通孔４９、連通室４８及び連通孔５０によって流路が構成されている。
【００３８】
図２に示すように、ウォッシャポンプ１２は、モータ１７の出力軸２３、及び、両平坦部２８ａを水平とした状態で、吐出流路３９をモータ室２４の下側とした状態でタンク１１に取付固定される。従って、連通孔４６はモータ１７の下部に配置され、外側連通部４８はモータ室２４よりも低い位置に配置される。
【００３９】
そして、ウォッシャポンプ１２が作動すると、タンク１１内の洗浄水が吸入孔２０ａからポンプ室２５内に吸い込まれ、ポンプ室２５から吐出流路３９及び吐出口３８を介して外部に吐き出される。
【００４０】
以上詳述した本実施の形態のウォッシャポンプの作用及び効果を列挙する。
（ａ）  ポンプ室２５からシール部２１を通ってモータ１７のケース３０内に浸入した洗浄水、又、モータ１７等の温度変化による結露でケース３０内に生じた水は、ケース３０内から連通孔４６を通ってモータ室２４に排出され、モータ室２４から外側連通部４７を通ってハウジング１６の外部に排出される。従って、ポンプ室２５がモータ室２４と同じ高さに配置されるか、又は、ポンプ室２５がモータ室２４の上方に配置されるようにウォッシャポンプ１２がタンク１１に取付固定されても、モータ１７の内部に洗浄水あるいは結露水等の水が溜まらないので、モータ１７の内部に水による支障が生じた難いようにすることができる。
【００４１】
（ｂ）  車両が水溜りを走行したりして、外部からウォッシャポンプ１２に水がかかっても、外側連通部４７がモータ室２４から互いに異なる方向に延びる３つの流路（連通孔４９、連通室４８及び連通孔５０）からなる経路を経てハウジング１６の外部に開口するように形成されているので、外側連通部４７からモータ室２４に水が入らない。その結果、外側連通部４７からモータ１７の内部に水が入らないようにし、モータ１７の内部に水による支障が生じないようにすることができる。
【００４２】
（ｃ）  互いに異なる方向に延びる３つの流路からなる経路を経て外部に開口する外側連通部４７が、モータ１７の断面扁平形状の胴部２８の下側平坦部２８ａに相対し、モータ１７の最大外径の範囲内に一部が含まれるように設けられるので、ハウジング１６の外径が胴部２８の最大外径と外側連通部４７とを合わせた大きさより小さくなる。従って、外側連通部４７が異なる３方向に延びる流路を有する経路で外部に開口する構造であることによるウォッシャポンプ１２の外径の増大が抑制されるので、ウォッシャポンプ１２の大型化を招くことなく、外部からウォッシャポンプ１２にかかった水が外側連通部４７を通ってモータ１７の内部に水が浸入しないようにすることができる。
【００４３】
（ｄ）  モータ１７には、胴部２８の下側平坦部２８ａの内側面と電機子３２との間に、電機子３２と各界磁磁石３１との間の隙間よりも大きなクリアランス４５が設けられるとともに、下側平坦部２８ａの内側面を含む高さに開口する連通孔４６が設けられている。その結果、モータ１７のケース３０内に浸入した洗浄水、あるいは、結露水は、クリアランス４５に集められ、連通孔４６からモータ室２４に排出される。従って、界磁磁石３１と電機子３２との間に水が滞留し難く、電機子３２が長時間水に晒され難いので、モータ１７の内部に水による支障が一層発生し難いようにすることができる。
【００４４】
（ｅ）  モータ室２４内においてシール部２６に連通する空間部４３が、通路５１及び外側連通部４７によってハウジング１６の外部に連通されるので、モータ室２４がハウジング１６の外部に対して密封されず、モータ１７の温度変化に伴うモータ室２４内の圧力変化がない。従って、ポンプ室２５からモータ室２４に洗浄水が持ち込まれることがない。
【００４５】
（ｆ）  シール部２６の不具合等により万が一ポンプ室２５からモータ室２４に浸入した洗浄水は、通路５１及び外側連通部４７を通ってモータ室２４からハウジング１６の外部に排出される。従って、モータ室２４の内部に洗浄水が溜まり難いので、モータ１７の外部が洗浄水に晒され難く、又、モータ室２４からモータ１７の内部に洗浄水が浸入し難いので、モータ１７の内外に洗浄水による支障が発生し難いようにすることができる。
【００４６】
（ｇ）  吐出流路３９を、モータ１７の胴部２８の最大外径の範囲内に大部分が含まれるように胴部２８の下側平坦部２８ａに相対する位置に設けたので、ハウジング１６の外径が胴部２８の最大外径と吐出流路３９とを合わせたよりも小さくなる。従って、ポンプ室２５からモータ室２４側に延びる吐出流路３９を設けたことによるハウジング１６の外径の増大が抑制されるので、吐出流路３９によるウォッシャポンプ１２の大型化を抑制することができる。
【００４７】
尚、実施の形態は上記実施の形態に限らず、下記の各別例のように実施してもよい。
○  ハウジング１６は、モータ室２４の殆どを形成する円筒状の胴部１９、ポンプケーシング２０及び蓋体２１によって形成されるものに限らず、中心軸における半割り状態で形成され、合体した状態でモータ室２４及びポンプ室２５を形成する一対の部材と、蓋体とから形成されるものであってもよい。さらに、一対の部材が合体した状態で蓋体部分をも形成するようにしてもよい。
【００４８】
○  内側連通部は、モータ１７の蓋体２９に限らず、胴部２８の底面に設けてもよい。この場合には、ケース３０から空間部４３に水が排出され、空間部４３から通路５１を通って外側連通部４７から外部に排出される。
【００４９】
○  連通孔４６に加えて、モータ室２４からケース３０の内部に空気が流入可能なように、ケース３０の内部とモータ室２４とを連通する通気孔を設けてもよい。この場合には、連通孔４６からの水の排出に伴って通気孔からケース３０の内部に空気が導入されるので、ケース３０の内部に極力水が溜まらないようにいることができる。
【００５０】
○  外側連通部は、異なる方向に延びる少なくとも２つ以上の流路を含む経路を経て外部に開口するように形成されればよく、例えば、連通室４８を備えず、連通孔４９が直接連通孔５０に接続されるような構成でもよい。又、連通室４８内に、異なる方向に延びる２つ以上の流路を含む経路をさらに設けてもよい。
【００５１】
○  外側連通部４７は、モータ室２４の基端側に限らず、モータ室２４の先端側、例えば、空間部４３の下方に少なくとも一部が配置された状態で設けられるものであってもよい。この場合には、連通室４８をモータ室２４の基端側まで延長し、基端側に設けた連通孔５０に連通させればよい。
【００５２】
○  吐出流路３９は、少なくとも一部がモータ１７の胴部２８の最大外径の範囲内に含まれればよく、吐出流路３９によってハウジング１６の外径が従来のウォッシャポンプより大きくなっても構わない。
【００５３】
○  通路５１は、モータ室２４の内側面に設けた突条４４と、モータ室２４に収容された状態で突条４４を通路５１とするモータ１７とにより形成されるものに限らない。その他、例えば、胴部１９の肉部の内部に形成した通路であってもよい。さらに、通路を外側連通部４７とは別に設けた開口部に連通させてもよい。
【００５４】
○  モータ１７の出力軸２３が水平となる状態でタンク１１に装備された車両用ウォッシャ装置１０に限らず、タンク１１の底面に設けた開口部により、モータ１７の出力軸２３が鉛直に配置された状態で、ポンプ室２５がモータ室２４の上となった状態でウォッシャポンプ１２が配置された車両用ウォッシャ装置としてもよい。この場合には、外側連通部がモータ室の下方に配置されるように、外側連通部を蓋体２１に設けた構成とすればよい。この構成では、ウォッシャポンプをタンクの底面に装着することができる。
【００５５】
○  モータは、円筒状のヨークを備えたものであってもよい。但し、吐出流路３９をヨークの最大外径の範囲外に配置する必要があり、従来のウォッシャポンプに比較してハウジングの外径が大きくなる。
【００５６】
○  従来例のウォッシャポンプ６０のように、モータの出力軸が鉛直となる状態でポンプ室がモータ室の下側に配置された状態でタンクに装備されるウォッシャポンプに実施してもよい。この場合には、結露水がモータの内部に溜まらないようにして、モータに支障が起きないようにすることができる。
【００５７】
以下、特許請求の範囲に記載した発明の他に、前述した実施の形態及び各別例から把握される技術的思想をその効果とともに記載する。
（１）  前記内側連通部は、ウォッシャポンプがタンクに装着されたときに前記モータの下部となる位置に設けられ、前記外側連通部は、同じく前記モータ室よりも低い位置となるように設けられている。このような構成によれば、モータの内部に水が溜まらないようにし、水による支障が極力発生しないようにすることができる。
【００５８】
（２）  モータ室からモータの内部に空気が流入可能なように、モータの内部と前記モータ室とを連通する通気孔が設けられている。このような構成によれば、モータの内部からモータ室に水を効率良く排出することができ、モータの内部に水が極力溜まらないようにすることができる。
【００５９】
（３）  ケースの内部に水が溜まらないようにモータの内部を外部に連通する連通部を備えたモータ。このような構成によれば、外部からの浸入水あるいは結露水がモータの内部に溜まらないようにして、水による支障が起き難いようにすることができる。
【００６０】
【発明の効果】
以上詳述したように、請求項１〜請求項５に記載の発明によれば、モータの内部に水が溜まり難いので、モータの内部に洗浄水又は結露水による支障が発生し難いようにすることができる。
【００６１】
請求項１〜請求項５に記載の発明によれば、ウォッシャポンプの大型化を抑制しながら、外部からウォッシャポンプにかかった水が外側連通部を通ってモータ内に浸入しないようにすることができる。
【００６２】
請求項２〜請求項５に記載の発明によれば、モータの内部に水による支障が一層発生し難いようにすることができる。
請求項３〜請求項５に記載の発明によれば、ポンプ室からモータ室への洗浄水の浸入を防止することができ、万が一浸入したときには、浸入した洗浄水がモータ室内の内部に溜まり難いようにして、モータの内外に洗浄水による支障が発生し難いようにすることができる。
【００６３】
請求項４及び請求項５に記載の発明によれば、吐出流路によるウォッシャポンプの大型化を抑制することができる。
【図面の簡単な説明】
【図１】ウォッシャポンプの断面図。
【図２】車両用ウォッシャ装置の一部を破断した正面図。
【図３】図１におけるＡ−Ａ線断面図。
【図４】図１におけるＢ−Ｂ線断面図。
【図５】従来例のウォッシャポンプの一部を破断した正面図。
【符号の説明】
１１…タンク、１２…ウォッシャポンプ、１６…ハウジング、１７…モータ、２０ａ…吸入孔、２３…出力軸、２４…モータ室、２５…ポンプ室、２６…シール部、２７…インペラ、２８ａ…平坦部、３１…界磁磁石、３２…電機子、３８…吐出口、３９…吐出流路、４５…クリアランス、４６…内側連通部としての連通孔、４７…外側連通部、４８…流路としての連通室、４９…同じく連通孔、５０…同じく連通孔、５１…通路。
【図１】
0003621279.tif 000002
【図２】
0003621279.tif 000003
【図３】
0003621279.tif 000004
【図４】
0003621279.tif 000005
【図５】
0003621279.tif 000006